(57)【特許請求の範囲】
【請求項１】
入水路を通して供給される水をバーナの燃焼により加熱して出湯路より出湯する水加熱用の熱交換器と、
前記入水路から前記出湯路への通水量を検出する通水量検出手段と、
前記バーナの燃焼を制御する制御手段とが設けられ、
前記制御手段が、
前記通水量検出手段の検出通水量が点火水量以上になるに伴って前記バーナの燃焼を開始し、前記検出通水量が点火水量未満になるに伴って前記バーナの燃焼を停止させ、かつ、出湯温度が目標温度になるように、前記バーナの燃焼量を最小燃焼量と最大燃焼量との間で調整する、燃焼制御を実行するように構成されている給湯装置であって、
前記制御手段は、
前記検出通水量が点火水量以上であっても、前記入水路から前記出湯路への通水量、前記入水路を通して供給される水の入水温度、および、前記目標温度から求められる、入水路を通して供給される水を目標温度に加熱するのに要する必要燃焼量が、前記最小燃焼量未満のときにおいては、
前記最小燃焼量、前記目標温度、および、前記入水路を通して供給される水の入水温度を検出する入水温度検出手段の検出入水温度に基づいて、前記点火水量を増加側に補正した補正点火水量を求めて、
前記検出通水量がその補正点火水量以上になるに伴って前記バーナの燃焼を開始し、前記検出通水量が補正点火水量未満になるに伴って前記バーナの燃焼を停止するように構成され、
前記制御手段が、前記補正点火水量として、前記出湯温度を前記目標温度に制御可能な最小通水量を設定するように構成され、且つ、前記点火水量とそれから設定量増加側の補正限度水量との間の範囲において、前記補正点火水量を求めるように構成されている給湯装置。
【請求項２】
前記制御手段は、前記検出通水量が点火水量以上であっても、前記入水路から前記出湯路への通水量、前記入水路を通して供給される水の入水温度、および、前記最小燃焼量から求められる予測出湯温度が、前記目標温度より設定量高い高温限度温度以上の場合には、前記バーナの燃焼を停止するように構成されている請求項１記載の給湯装置。
【発明の詳細な説明】
【０００１】
【発明の属する技術分野】
本発明は、入水路を通して供給される水をバーナの燃焼により加熱して出湯路より出湯する水加熱用の熱交換器と、
前記入水路から前記出湯路への通水量を検出する通水量検出手段と、
前記バーナの燃焼を制御する制御手段とが設けられ、
前記制御手段が、
前記通水量検出手段の検出通水量が点火水量以上になるに伴って前記バーナの燃焼を開始し、前記検出通水量が点火水量未満になるに伴って前記バーナの燃焼を停止させ、かつ、出湯温度が目標温度になるように、前記バーナの燃焼量を最小燃焼量と最大燃焼量との間で調整する、燃焼制御を実行するように構成されている給湯装置に関する。
【０００２】
【従来の技術】
上記のような給湯装置は、空焚きを防止するなどのために、入水路から出湯路への通水量が点火水量以上であるか、未満であるかに基づいてバーナの燃焼の開始・停止が実行されるものであり、そして、従来では、点火水量以上になると、必ずバーナの燃焼を開始し、かつ、バーナの燃焼量を最小燃焼量と最大燃焼量との間で調整して、出湯温度が目標温度になるように制御するものであった。
【０００３】
【発明が解決しようとする課題】
しかしながら、従来のものでは、例えば、入水路を通して供給される水の入水温度が高温であったり、通水量が少ないことにより、出湯温度を目標温度に制御不可能なとき、すなわち、入水路を通して供給される水を目標温度に加熱するのに要する必要燃焼量が最小燃焼量未満であるときにも、入水路から出湯路への通水量が点火水量以上になるに伴ってバーナの燃焼を必ず開始させるものであるため、使用環境によっては出湯温度が目標温度よりもかなり高温になる虞もあり、そして、その高温出湯によって使用者に不快感を与える虞が考えられる。
【０００４】
本発明は、かかる点に着目してなされたものであり、その目的は、高温出湯を回避して、高温出湯により使用者に不快感を与えるのを防止することができる給湯装置を提供する点にある。
【０００５】
【課題を解決するための手段】
この目的を達成するために、請求項１に記載の発明によれば、制御手段は、検出通水量が点火水量以上であっても、入水路から出湯路への通水量、入水路を通して供給される水の入水温度、および、目標温度から求められる、入水路を通して供給される水を目標温度に加熱するのに要する必要燃焼量が、最小燃焼量未満のときにおいては、検出通水量、目標温度、および、入水路を通して供給される水の入水温度を検出する入水温度検出手段の検出入水温度に基づいて、点火水量を増加側に補正した補正点火水量を求めて、検出通水量がその補正点火水量以上になるに伴ってバーナの燃焼を開始し、検出通水量が補正点火水量未満になるに伴ってバーナの燃焼を停止するように構成されている。
したがって、入水路から出湯路への通水量が点火水量以上であっても、必要燃焼量が最小燃焼量未満のときには、つまり、入水温度が高温などの出湯温度を目標温度に制御不可能な状態のときには、バーナの燃焼を停止させて高温出湯を抑制するように、点火水量を増加側に補正した補正点火水量を求めて、その補正点火水量に基づいてバーナの燃焼の開始・停止が行われることになり、これにより、高温出湯により使用者に不快感を与えることが防止できるものとなった。
【０００６】
又、請求項１に記載の発明によれば、制御手段が、補正点火水量として、出湯温度を目標温度に制御可能な最小通水量を設定するように構成されている。
したがって、検出通水量が出湯温度を目標温度に制御可能な補正点火水量以上になるに伴ってバーナの燃焼を開始するので、出湯温度が目標温度に適切に維持されることになり、高温出湯により使用者に不快感を与えるのを確実に防止することができる。
【０００７】
又、請求項１に記載の発明によれば、制御手段が、点火水量とそれから設定量増加側の補正限度水量との間の範囲において、補正点火水量を求めるように構成されている。
つまり、補正点火水量が極端に増加側に設定されると、入水路から出湯路への通水量がその極端に増加側の補正点火水量以上にならなければ、バーナの燃焼が開始されないので、バーナの燃焼がほとんど開始されることなく、かえって給湯装置の使用勝手が悪くなる虞があるが、点火水量とそれから設定量増加側の補正限度水量との間の範囲において、補正点火水量を求めることにより、補正点火水量が極端に増加側に設定されることを防ぎ、給湯装置の使用勝手を向上させることができる。
【０００８】
請求項２に記載の発明によれば、制御手段は、検出通水量が点火水量以上であっても、入水路から出湯路への通水量、入水路を通して供給される水の入水温度、および、最小燃焼量から求められる予測出湯温度が、目標温度より設定量高い高温限度温度以上の場合には、バーナの燃焼を停止するように構成されている。
つまり、入水路から出湯路への通水量が点火水量以上であっても、通水量、入水温度、および、最小燃焼量から求められる予測出湯温度が高温限度温度以上のときには、その高温限度温度以上の湯が出湯される虞があるので、このような場合には、バーナの燃焼を停止させて、出湯温度が目標温度よりもかなり高温になるのを防止することができ、これにより、高温出湯により使用者に不快感を与えるのを確実に防止することができる。
【０００９】
【発明の実施の形態】
本発明にかかる給湯装置を図面に基づいて説明する。
〔第１実施形態〕
この給湯装置は、図１に示すように、供給される水を加熱して出湯路６に出湯する給湯部Ｋ、この給湯部Ｋの動作を制御する制御手段としての制御部Ｈ、この制御部Ｈに動作情報を指令するリモコン操作部Ｒを備えて構成されている。
【００１０】
前記給湯部Ｋは、燃焼室１内に設けられている水加熱用の熱交換器２、この熱交換器２を加熱するガス燃焼式のバーナ３などから構成され、このバーナ３の上流側から燃焼用空気を通風するとともに、その通風量を変更調整自在なファン４が設けられている。
そして、熱交換器２には、例えば家庭用の水道などから水が供給される入水路５、加熱後の湯を手動式の出湯栓７に出湯する出湯路６がそれぞれ接続され、入水路５を通して供給される水の全量が、熱交換器２により加熱されて出湯路６に供給される。
前記入水路５には、入水路５から出湯路６への通水量を検出する通水量検出手段としての通水量センサ８、入水路５を通して供給される水の入水温度を検出する入水温度検出手段としての入水温サーミスタ９がそれぞれ備えられ、出湯路６には、出湯される湯水の温度を検出する出湯温サーミスタ１０が備えられている。
【００１１】
前記バーナ３に対する燃料供給路１１には、燃料供給を断続する電磁操作式の断続弁１２、燃料供給量（バーナ３の燃焼量）を変更調節自在な電磁操作式のガス量調節弁１３が備えられ、バーナ３の近くには、バーナ３に対する点火動作を実行するイグナイタ１４と、バーナ３に着火されたか否かを検出するフレームロッド１５とがそれぞれ備えられている。
【００１２】
前記リモコン操作部Ｒは、給湯部Ｋの運転の開始・停止を指令する運転スイッチ１６、目標温度を変更設定自在な温度設定スイッチ１７、出湯温度や目標温度などを表示する表示部１８、給湯装置が運転状態であることを表示する運転ランプ１９、バーナ３が燃焼状態であることを表示する燃焼ランプ２０などを備えて構成されている。
【００１３】
前記制御部Ｈは、マイクロコンピュータを備えて構成され、入水路５を通して供給される水を目標温度に加熱するのに要する必要燃焼量が最小燃焼量以上である場合には、点火水量に基づいてバーナ３の燃焼の開始・停止を実行し、出湯温度が目標温度になるようにバーナ３の燃焼を制御する通常燃焼制御処理、前記必要燃焼量が最小燃焼量未満である場合には、補正点火水量に基づいてバーナ３の燃焼の開始・停止を実行し、出湯温度が目標温度になるようにバーナ３の燃焼を制御する補正燃焼制御処理のそれぞれの処理を実行するように構成されている。
【００１４】
つまり、通水量センサ８による検出通水量、入水温サーミスタ９による検出入水温度、および、温度設定スイッチ１７による目標温度から求められる、入水路５を通して供給される水を目標温度に加熱するのに要する必要燃焼量が、バーナ３の燃焼量が調整可能な最小燃焼量以上であると、通常燃焼制御処理を実行し、必要燃焼量が最小燃焼量未満であると、補正燃焼制御処理を実行するように構成されている。
説明を加えると、必要燃焼量Ｉｐは、下記〔数１〕に示すように、検出入水温度Ｔｉと目標温度Ｔｓとの偏差、検出通水量Ｑｏ、および、制御定数Ｋに基づいて演算する。
【００１５】
【数１】
Ｉｐ＝Ｋ（Ｔｓ−Ｔｉ）Ｑｏ
【００１６】
前記通常燃焼制御処理は、通水量センサ８による検出通水量が点火水量以上になるに伴ってバーナ３の燃焼を開始し、検出通水量が点火水量未満になるに伴ってバーナ３の燃焼を停止し、かつ、出湯温度が目標温度になるように、バーナ３の燃焼量を最小燃焼量と最大燃焼量との間で調整する通常燃焼制御を実行するように構成されている。
【００１７】
具体的に説明すると、運転スイッチ１６のＯＮ操作に伴って運転状態に設定された後に、出湯栓７の開操作に伴って通水量センサ８による検出通水量が点火水量以上になると、ファン４による通風作動を開始し、かつ、断続弁１２を開弁させてガス量調節弁１３を点火用ガス量になるように開弁調整するとともに、イグナイタ１４によってバーナ３の点火動作を行い、フレームロッド１５によってバーナ３の着火を確認する。
【００１８】
その後、入水温サーミスタ９、出湯温サーミスタ１０、通水量センサ８のそれぞれの検出情報、および、温度設定スイッチ１７にて設定されている目標温度の情報に基づいて、出湯温度を目標温度にするために必要なガス量になるようにガス量調節弁１３を調整するとともに、ファン４の通風量が調整ガス量に対して適正燃焼状態になるようにファン４の通風量を調整するフィードフォワード制御を実行し、さらに、出湯温サーミスタ１０の検出温度が目標温度になるように、ガス量調節弁１３の開度を微調整するフィードバック制御を実行する。
このようにして、出湯栓７から目標温度の湯水が出湯されることになる。
【００１９】
前記補正燃焼制御処理は、バーナ３の燃焼量が調整可能な最小燃焼量、入水温サーミスタ９による検出入水温度、および、温度設定スイッチ１７に基づいて、点火水量を増加側に補正した補正点火水量を求めて、通水量センサ８による検出通水量が補正点火水量以上になるに伴ってバーナ３の燃焼を開始し、検出水量が補正点火水量未満になるに伴ってバーナ３の燃焼を停止し、かつ、出湯温度が目標温度になるように、バーナ３の燃焼量を最小燃焼量と最大燃焼量との間で調整する補正燃焼制御を実行するように構成されている。
【００２０】
具体的に説明すると、上記〔数１〕に基づいて、バーナ３の燃焼量が調整可能な最小燃焼量、入水温サーミスタ９による検出入水温度、および、温度設定スイッチ１７による目標温度から、出湯温度を目標温度に制御可能な最小通水量を求めて、その最小通水量を補正点火水量として設定し、通水量センサ８による検出通水量が補正点火水量以上になると、ファン４による通風作動を開始し、かつ、断続弁１２を開弁させてガス量調節弁１３を点火用ガス量になるように開弁調整するとともに、イグナイタ１４によってバーナ３の点火動作を行い、フレームロッド１５によってバーナ３の着火を確認する。
【００２１】
その後、入水温サーミスタ９、出湯温サーミスタ１０、通水量センサ８のそれぞれの検出情報、および、温度設定スイッチ１７にて設定されている目標温度の情報に基づいて、出湯温度を目標温度にするために必要なガス量になるようにガス量調節弁１３を調整するとともに、ファン４の通風量が調整ガス量に対して適正燃焼状態になるようにファン４の通風量を調整するフィードフォワード制御を実行し、さらに、出湯温サーミスタ１０の検出温度が目標温度になるように、ガス量調節弁１３の開度を微調整するフィードバック制御を実行する。
【００２２】
次に、制御部Ｈの制御動作について、図２のフローチャートに基づいて説明する。
まず、運転スイッチ１６がＯＮ操作された後に、出湯栓７の開操作に伴って通水量センサ８の検出通水量が点火水量以上になると、通水量センサ８による検出通水量、入水温サーミスタ９による検出入水温度、および、温度設定スイッチ１７による目標温度から、入水路５を通して供給される水を目標温度に加熱するのに要する必要燃焼量を上記〔数１〕に基づいて求める（ステップ１〜３）。
【００２３】
そして、求められた必要燃焼量が最小燃焼量以上であると、バーナ３の点火処理を実行して、出湯温度が目標温度になるようにバーナ３の燃焼量を最小燃焼量と最大燃焼量との間で調整する（ステップ４〜６）。
つまり、バーナ３の燃焼が停止していると、ファン４による通風作動を開始し、かつ、断続弁１２を開弁させてガス量調節弁１３を点火用ガス量になるように開弁調整するとともに、イグナイタ１４によってバーナ３の点火動作を行い、フレームロッド１５によってバーナ３の着火を確認する。
【００２４】
その後、入水温サーミスタ９、出湯温サーミスタ１０、通水量センサ８のそれぞれの検出情報、および、温度設定スイッチ１７にて設定されている目標温度の情報に基づいて、出湯温度を目標温度にするために必要なガス量になるようにガス量調節弁１３を調整するとともに、ファン４の通風量が調整ガス量に対して適正燃焼状態になるようにファン４の通風量を調整するフィードフォワード制御を実行し、さらに、出湯温サーミスタ１０の検出温度が目標温度になるように、ガス量調節弁１３の開度を微調整するフィードバック制御を実行する。
【００２５】
そして、上述のような必要燃焼量の演算やガス量と通風量の調整などの制御動作が、運転スイッチ１６がＯＦＦ操作されるか、出湯栓７の閉操作に伴って通水量センサ８による検出通水量が点火水量未満になるまで実行される。つまり、運転スイッチ１６がＯＦＦ操作されるか、通水量センサ８による検出通水量が点火水量未満になると、断続弁１２とガス量調節弁１３を閉弁し、ファン４の作動も停止させて、バーナ３の燃焼を停止させる（ステップ７〜９）。
【００２６】
また、求められた必要燃焼量が最小燃焼量未満のときには（ステップ４）、バーナ３の燃焼停止処理を実行する（ステップ１０）。つまり、バーナ３が燃焼中であれば、断続弁１２とガス量調節弁１３を閉弁し、ファン４の作動を停止させて、バーナ３の燃焼を停止させる。
そして、バーナ３の燃焼量が調整可能な最小燃焼量、入水温サーミスタ９による検出入水温度、および、温度設定スイッチ１７による目標温度に基づいて、出湯温度を目標温度に制御可能な最小通水量を求めて、その最小通水量を補正点火水量として設定し、通水量センサ８による検出通水量が補正点火水量以上であると、バーナ３の点火処理を実行して、出湯温度が目標温度になるようにバーナ３の燃焼量を最小燃焼量と最大燃焼量との間で調整する（ステップ１１〜１４）。
【００２７】
つまり、バーナ３の燃焼が停止していると、ファン４による通風作動を開始し、かつ、断続弁１２を開弁させてガス量調節弁１３を点火用ガス量になるように開弁調整するとともに、イグナイタ１４によってバーナ３の点火動作を行い、フレームロッド１５によってバーナ３の着火を確認する。
その後、入水温サーミスタ９、出湯温サーミスタ１０、通水量センサ８のそれぞれの検出情報、および、温度設定スイッチ１７にて設定されている目標温度の情報に基づいて、出湯温度を目標温度にするために必要なガス量になるようにガス量調節弁１３を調整するとともに、ファン４の通風量が調整ガス量に対して適正燃焼状態になるようにファン４の通風量を調整するフィードフォワード制御を実行し、さらに、出湯温サーミスタ１０の検出温度が目標温度になるように、ガス量調節弁１３の開度を微調整するフィードバック制御を実行する。
【００２８】
そして、上述のような必要燃焼量の演算やガス量と通風量の調整などの制御動作が、運転スイッチ１６がＯＦＦ操作されるか、出湯栓７の閉操作に伴って通水量センサ８による検出通水量が補正点火水量未満になるまで実行される。つまり、運転スイッチ１６がＯＦＦ操作されるか、通水量センサ８による検出通水量が補正点火水量未満になると、断続弁１２とガス量調節弁１３を閉弁し、ファン４の作動も停止させて、バーナ３の燃焼を停止させる（ステップ１５，１６，９）。
【００２９】
このようにして、入水路５を通して供給される水を目標温度に加熱するのに要する必要燃焼量が最小燃焼量未満のときにおいては、通水量センサ８による検出通水量が点火水量以上であっても、高温出湯を抑制するように、点火水量を増加側に補正した補正点火水量に基づいてバーナ３の燃焼の開始・停止を実行するので、出湯温度が目標温度よりも極端に高温になるのを防止して、高温出湯により使用者に不快感を与えることなく、極力目標温度に近い温度の湯水を出湯することが可能となる。
【００３０】
〔第２実施形態〕
この第２実施形態は、上記第１実施形態における制御部Ｈの制御動作についての別実施形態であり、その他の構成および動作については、上記第１実施形態と同様であるので、その詳細な説明は省略する。
前記制御部Ｈが、出湯温度を目標温度に制御可能な最小通水量としての点火開始用水量が点火水量未満である場合には、上記第１実施形態と同様に、通常燃焼制御を実行し、前記点火開始用水量が点火水量以上である場合には、その点火開始用水量を補正点火水量として設定し、通水量センサ８による検出通水量が補正点火水量以上であるか、未満であるかに基づいてバーナ３の燃焼の開始・停止をする補正燃焼制御処理を実行するように構成されている。
【００３１】
つまり、入水温サーミスタ８による検出入水温度、温度設定スイッチ１７による目標温度、および、バーナ３の燃焼量が調整可能な最小燃焼量から求められる最小通水量としての点火開始用水量が点火水量未満の場合には、第１実施形態に記載の通常燃焼処理を実行し、点火開始用水量が点火水量以上の場合には、その点火開始用水量を補正点火水量として設定し、通水量センサ８による検出通水量が補正点火水量以上であるか、未満であるかに基づいてバーナ３の燃焼の開始・停止を実行する。なお、点火開始用水量の演算については、上記実施形態に記載の〔数１〕に基づいて演算する。
【００３２】
この制御動作について、図３のフローチャートに基づいて説明する。
まず、運転スイッチ１６がＯＮ操作されていると、入水温サーミスタ９による検出入水温度、温度設定スイッチ１７による目標温度、および、バーナ３の燃焼量が調整可能な最小燃焼量から、出湯温度を目標温度に制御可能な最小通水量としての点火開始用水量を求める（ステップ２１，２２）。
【００３３】
そして、求められた点火開始用水量が点火水量未満のときには、通水量センサ８による検出通水量が点火水量未満であると、バーナ３の燃焼停止処理を実行する（ステップ２４，２５）。つまり、バーナ３が燃焼中であると、断続弁１２とガス量調節弁１３を閉弁して、ファン４の作動を停止させて、バーナ３の燃焼を停止させる。
また、通水量センサ８による検出通水量が点火水量以上であると、バーナ３の点火処理を実行し、出湯温度が目標温度になるようにバーナ３の燃焼量を最小燃焼量と最大燃焼量との間で調整する（ステップ２４，２６，２７）。なお、バーナ３の点火処理および燃焼量の調整は、上記第１実施形態と同様の動作を実行する。
【００３４】
そして、上述のような点火開始用水量の演算やガス量と通風量の調整などの制御動作が、運転スイッチ１６がＯＦＦ操作されるか、通水量センサ８による検出通水量が点火水量未満になるまで実行される。つまり、運転スイッチ１６がＯＦＦ操作されるか、通水量センサ８による検出通水量が点火水量未満になると、断続弁１２とガス量調節弁１３を閉弁して、ファン４の作動を停止させて、バーナ３の燃焼を停止させる（ステップ２８〜３０）。
【００３５】
また、求められた点火開始用水量が点火水量以上のときには（ステップ２３）、バーナ３の燃焼停止処理を実行し、その求められた点火開始用水量を補正点火水量として設定して、通水量センサ８による検出通水量が点火開始用水量以上であると、バーナ３の点火処理を実行して、出湯温度が目標温度になるようにバーナ３の燃焼量を最小燃焼量と最大燃焼量との間で調整する（ステップ３２〜３４）。なお、バーナ３の燃焼停止処理および燃焼量の調整は、上記第１実施形態と同様の動作を実行する。
【００３６】
そして、上述のような点火開始用水量の演算やガス量と通風量の調整などの制御動作が、運転スイッチ１６がＯＦＦ操作されるか、通水量センサ８による検出通水量が点火水量未満になるまで実行される。つまり、運転スイッチ１６がＯＦＦ操作されるか、通水量センサ８による検出通水量が点火水量未満になると、断続弁１２とガス量調節弁１３を閉弁して、ファン４の作動を停止させて、バーナ３の燃焼を停止させる（ステップ３５，３６）。
【００３７】
〔別実施形態〕
（１）上記第１および第２実施形態では、出湯温度を目標温度に制御可能な最小通水量を求めて、この最小通水量を補正点火水量として設定するようにしているが、点火水量とそれから設定量増加側の補正限度水量との間の範囲において、出湯温度を目標温度に制御可能な最小通水量を補正点火水量として設定してもよい。
つまり、バーナ３の燃焼量が調整可能な最小燃焼量、入水温サーミスタ９による検出入水温度、および、温度設定スイッチ１７による目標温度から、上記〔数１〕に基づいて、出湯温度を目標温度に制御可能な最小通水量を求めて、この最小通水量が点火水量と補正限度水量との間の範囲であれば、この最小通水量を補正点火水量として設定する。
【００３８】
この制御動作について上記第１実施形態において説明すると、図４に示すように、上記第１実施形態における図２のステップ１１を、次の制御動作に変更する。
つまり、バーナ３の燃焼量が調整可能な最小燃焼量、入水温サーミスタ９による検出入水温度、および、温度設定スイッチ１７による目標温度に基づいて、出湯温度を目標温度に制御可能な最小通水量を求めて、その最小通水量が補正限度水量以下であると、その最小通水量を補正点火水量として設定し、最小通水量が補正限度水量を越えていると、ステップ１に移行する（ステップ１１ａ，１１ｂ）。
【００３９】
また、上述の制御動作を第２実施形態において説明すると、図５に示すように、第２実施形態における図３のステップ３１から３２への移行中に、次の制御動作を挿入する。
つまり、入水温サーミスタ９による検出入水温度、温度設定スイッチ１７による目標温度、および、バーナ３の燃焼量が調整可能な最小燃焼量から求められた最小の点火開始用水量が補正限度水量以下であると、その点火開始用水量を補正点火水量として設定し、点火開始水量が補正限度水量を越えていると、ステップ３２に移行する（ステップ３１ａ）。
【００４０】
（２）上記第１および第２実施形態では、出湯温度を目標温度に制御可能な最小通水量を求めて、この最小通水量を補正点火水量として設定するようにしているが、補正点火水量としては、出湯温度を目標温度に制御可能な最小通水量に設定量だけ加えた水量、あるいは、出湯温度を目標温度に制御可能な最小通水量から設定量だけ引いた水量を補正点火水量としてもよい。
つまり、補正点火水量としては、出湯温度を目標温度に制御可能な最小通水量と同じ水量だけでなく、最小通水量から設定量だけ増減した範囲内の水量であればよい。
【００４１】
（３）上記第１および第２実施形態では、通水量センサ８による検出通水量が点火水量以上であっても、入水路５を通して供給される水を目標温度に加熱するのに要する必要燃焼量が最小燃焼量未満、あるいは、出湯温度を目標温度に制御可能な最小通水量としての点火開始用水量が点火水量以上のときにおいては、出湯温度を目標温度に制御可能な最小通水量を補正点火水量として設定し、通水量センサ８による検出通水量が補正点火水量以上であるか、未満であるかに基づいてバーナ３の燃焼の開始・停止を実行するように構成されているが、次のように構成してもよい。
【００４２】
つまり、上述の別実施形態（２）のごとく、補正点火水量を、出湯温度を目標温度に制御可能な最小通水量から設定量だけ増減した範囲内の水量として設定するときなどにおいて、通水量センサ８による検出通水量が点火水量以上であっても、通水量センサ８による検出通水量、入水温サーミスタ９による検出入水温度、および、バーナ３の燃焼量が調整可能な最小燃焼量から求められる予測出湯温度が、温度設定スイッチ１７による目標温度よりも設定量高い高温限度温度以上の場合には、バーナ３の燃焼を停止するように構成されている。
【００４３】
この制御動作について上記第１実施形態において説明すると、図６に示すように、上記第１実施形態における図２のステップ２およびステップ８からステップ３への移行中に、次の制御動作を挿入する。
つまり、上記〔数１〕に基づいて、通水量センサ８による検出通水量、入水温サーミスタ９による検出入水温度、および、バーナ３の燃焼量が調整可能な最小燃焼量から予測出湯温度を求める（ステップ２ａ）。そして、予測出湯温度が、温度設定スイッチ１７による目標温度よりも設定量高い高温限度温度以上であると、バーナ３の燃焼停止処理を実行する（ステップ２ｂ，２ｃ）。
つまり、バーナ３が燃焼中であると、断続弁１２とガス量調節弁１３を閉弁して、その後ファン４の作動も停止させて、バーナ３の燃焼を停止させる。
【００４４】
また、上述の制御動作について第２実施形態において説明すると、図７に示すように、第２実施形態における図３のステップ２１、ステップ２９、および、ステップ３６からステップ２２への移行中に、次の制御動作を挿入する。
上記〔数１〕に基づいて、通水量センサ８による検出通水量、入水温サーミスタ９による検出入水温度、および、バーナ３の燃焼量が調整可能な最小燃焼量から予測出湯温度を求める（ステップ２１ａ）。そして、予測出湯温度が、温度設定スイッチ１７による目標温度よりも設定量高い高温限度温度以上であると、バーナ３の燃焼停止処理を実行する（ステップ２１ｂ，２１ｃ）。
つまり、バーナ３が燃焼中であると、断続弁１２とガス量調節弁１３を閉弁して、その後ファン４の作動も停止させて、バーナ３の燃焼を停止させる。
【００４５】
（４）上記第１および第２実施形態では、入水路５を通して供給される水の全量を熱交換器２により加熱されて出湯路６より出湯するように構成されているが、図８に示すように、入水路５からの水の一部が熱交換器２によって加熱されてバイパス路２１からの水と混合されて、出湯路７より出湯するように構成してもよい。
つまり、熱交換器２には、例えば家庭用の水道などから水が供給される入水路５、加熱後の湯水を給湯する出湯路６がそれぞれ接続され、熱交換器２を迂回する状態で入水路５と出湯路６とを接続するバイパス路２１が設けられ、熱交換器２からの湯水とバイパス路２１からの水を混合して出湯栓７に出湯するように構成されている。
そして、出湯路６とバイパス路２１の接続箇所には、熱交換器２からの湯水とバイパス路２１からの水を一定の混合比率で混合して、出湯栓７に供給するミキシングバルブ２２が設けられている。なお、ミキシングバルブ２２は、一定の混合率で混合するものでもよく、混合率を変更自在に混合するものでもよい。
【００４６】
（５）上記第１および第２実施形態では、出湯温度が目標温度になるように、バーナ３の燃焼量を最小燃焼量と最大燃焼量との間で調整する際に、フィードフォワード制御に加え、フィードバック制御を実行するようにしているが、フィードフォワード制御のみを実行するようにしてもよく、フィードバック制御のみを実行するようにしてもよい。
【００４７】
（６）上記第１および第２実施形態では、目標温度を温度設定スイッチ１７により変更設定自在にしているが、予め目標温度が設定されているものでもよい。
目標温度が変更されないものでもよい。
【図面の簡単な説明】
【図１】給湯装置の概略構成図
【図２】第１実施形態における制御動作のフローチャート
【図３】第２実施形態における制御動作のフローチャート
【図４】別実施形態の制御動作のフローチャート
【図５】別実施形態の制御動作のフローチャート
【図６】別実施形態の制御動作のフローチャート
【図７】別実施形態の制御動作のフローチャート
【図８】別実施形態の給湯装置の概略構成図
【符号の説明】
２              熱交換器
３              バーナ
５              入水路
６              出湯路
８              通水量検出手段
９              入水温検出手段
Ｈ              制御手段
【図１】
0003888783.tif 000002
【図２】
0003888783.tif 000003
【図３】
0003888783.tif 000004
【図４】
0003888783.tif 000005
【図５】
0003888783.tif 000006
【図６】
0003888783.tif 000007
【図７】
0003888783.tif 000008
【図８】
0003888783.tif 000009